(57)【要約】【課題】ストレーナ本体を取り外す際に、作業が簡単となるとともに、異物が下流側に通過するのを抑制できる。【解決手段】本発明のストレーナ装置１０は、一端に開口を有し他端に底部を有するカップ状のストレーナ本体１１０と、直線状の管路を有するとともに、管路を区画する周壁の周方向一部分に、ストレーナ本体を出し入れするための出入窓１２１を有する、ストレーナケーシング１２０と、出入窓を塞ぐことが可能なストレーナキャップ１３０と、を備えた、ストレーナ装置であって、ストレーナ本体の周方向一部分とストレーナキャップとは互いに固定可能であり、ストレーナ本体は、ストレーナ本体の周方向一部分とストレーナキャップとが互いに固定された状態で、ストレーナ本体の中心軸線を管路の管路軸線に平行にした姿勢で、管路内に収容可能、かつ、出入窓を介して出し入れ可能である。【選択図】図４
2018079403.tif 000002
【特許請求の範囲】
【請求項１】
一端に開口を有し他端に底部を有するカップ状のストレーナ本体と、
直線状の管路を有するとともに、前記管路を区画する周壁の周方向一部分に、前記ストレーナ本体を出し入れするための出入窓を有する、ストレーナケーシングと、
前記出入窓を塞ぐことが可能なストレーナキャップと、
を備えた、ストレーナ装置であって、
前記ストレーナ本体の周方向一部分と前記ストレーナキャップとは互いに固定可能であり、
前記ストレーナ本体は、前記ストレーナ本体の周方向一部分と前記ストレーナキャップとが互いに固定された状態で、前記ストレーナ本体の中心軸線を前記管路の管路軸線に平行にした姿勢で、前記管路内に収容可能、かつ、前記出入窓を介して出し入れ可能である、ストレーナ装置。
【請求項２】
前記ストレーナ本体は、
該ストレーナ本体の前記開口の開口縁から外周側へ延びる環状のフランジ部と、
前記フランジ部の周方向一部分から、前記フランジ部に対して前記底部とは反対側へ延びる、片部と、
を有し、
前記ストレーナ本体の前記片部を前記ストレーナキャップに締結することにより、前記ストレーナ本体の周方向一部分と前記ストレーナキャップとを互いに固定可能である、請求項１に記載のストレーナ装置。
【請求項３】
前記ストレーナケーシングは、前記ストレーナ本体が前記管路内に収容され、かつ、前記ストレーナキャップが前記出入窓を塞いだ状態において、前記ストレーナ本体の前記フランジ部の上流側に隣接し、前記ストレーナ本体の前記フランジ部と全周にわたって対向するように構成された、環状の受部を有している、請求項２に記載のストレーナ装置。
【請求項４】
前記ストレーナケーシングは、前記受部における前記出入窓側の部分から上流側に向かって延在し、前記出入窓に面する、台部を有し、
前記ストレーナキャップには、該ストレーナキャップの前記出入窓側の面から突出するピンが設けられており、
前記台部は、前記ピンの先端部が挿入されるピン挿入孔を有し、
前記ストレーナ本体の前記片部の上流側の端面が前記ピンと接触した状態で、前記ストレーナ本体の周方向一部分と前記ストレーナキャップとを互いに固定可能である、請求項３に記載のストレーナ装置。
【発明の詳細な説明】
【技術分野】
【０００１】
本発明は、給水装置の配管に好適に配設できるストレーナ装置に関する。
【背景技術】
【０００２】
給水装置の配管等の管路には、管路内の流体（水等）に含まれる異物を捕捉するためのストレーナ装置が設けられることがある。
従来のストレーナ装置として、管路の弁室に収容されたボール弁体に、カップ状のストレーナ本体が内蔵されたものがある（例えば、特許文献１）。特許文献１のストレーナ装置では、ボール弁体を回動操作して開弁状態にすると、ボール弁体の貫通路を通過する流体に含まれる異物が、ストレーナ本体によって捕捉される。
【先行技術文献】
【特許文献】
【０００３】
【特許文献１】特開２０００−４６２１１号公報
【発明の概要】
【発明が解決しようとする課題】
【０００４】
特許文献１のストレーナ装置では、メンテナンス時にストレーナ本体を清掃する際に、ボール弁体を回動操作して閉弁状態にし、弁室のキャップを外して、ストレーナ本体をボール弁体から取り外して弁室から取り出す必要がある。ここで、ボール弁体を回動操作する間、ボール弁体に内蔵されたストレーナ本体も回転するが、その際に、上流側からの異物が、管路とストレーナ本体との隙間を通って、ストレーナ本体よりも下流側へと通過するおそれがあった。また、このストレーナ装置では、ストレーナ本体の取り外し作業が煩雑であり、メンテナンス性が良好ではなかった。
【０００５】
本発明は、上記の課題を解決するためにされたものであり、ストレーナ本体を取り外す際に、作業が簡単となるとともに、異物が下流側へ通過するのを抑制できる、ストレーナ装置を提供することを目的とする。
【課題を解決するための手段】
【０００６】
上記目的を達成するための本発明の要旨構成は、次の通りである。
【０００７】
本発明のストレーナ装置は、
一端に開口を有し他端に底部を有するカップ状のストレーナ本体と、
直線状の管路を有するとともに、前記管路を区画する周壁の周方向一部分に、前記ストレーナ本体を出し入れするための出入窓を有する、ストレーナケーシングと、
前記出入窓を塞ぐことが可能なストレーナキャップと、
を備えた、ストレーナ装置であって、
前記ストレーナ本体の周方向一部分と前記ストレーナキャップとは互いに固定可能であり、
前記ストレーナ本体は、前記ストレーナ本体の周方向一部分と前記ストレーナキャップとが互いに固定された状態で、前記ストレーナ本体の中心軸線を前記管路の管路軸線に平行にした姿勢で、前記管路内に収容可能、かつ、前記出入窓を介して出し入れ可能である。
本発明のストレーナ装置によれば、ストレーナ本体を取り外す際に、作業が簡単となる
とともに、異物が下流側へ通過するのを抑制できる。
【０００８】
本発明のストレーナ装置において、
前記ストレーナ本体は、
該ストレーナ本体の前記開口の開口縁から外周側へ延びる環状のフランジ部と、
前記フランジ部の周方向一部分から、前記フランジ部に対して前記底部とは反対側へ延びる、片部と、
を有し、
前記ストレーナ本体の前記片部を前記ストレーナキャップに締結することにより、前記ストレーナ本体の周方向一部分と前記ストレーナキャップとを互いに固定可能であると、好適である。
この構成によれば、ストレーナ本体をストレーナキャップに固定する際において、固定作業が簡単になるとともに、ストレーナ本体をストレーナキャップに対して相対位置を微調整した後に固定させることが可能となる。
【０００９】
本発明のストレーナ装置において、
前記ストレーナケーシングは、前記ストレーナ本体が前記管路内に収容され、かつ、前記ストレーナキャップが前記出入窓を塞いだ状態において、前記ストレーナ本体の前記フランジ部の上流側に隣接し、前記ストレーナ本体の前記フランジ部と全周にわたって対向するように構成された、環状の受部を有していると、好適である。
この構成によれば、上流側からの水がストレーナ本体を通らずに下流側に流れるのを抑制できる。
【００１０】
本発明のストレーナ装置において、
前記ストレーナケーシングは、前記受部における前記出入窓側の部分から上流側に向かって延在し、前記出入窓に面する、台部を有し、
前記ストレーナキャップには、該ストレーナキャップの前記出入窓側の面から突出するピンが設けられており、
前記台部は、前記ピンの先端部が挿入されるピン挿入孔を有し、
前記ストレーナ本体の前記片部の上流側の端面が前記ピンと接触した状態で、前記ストレーナ本体の周方向一部分と前記ストレーナキャップとを互いに固定可能であると、好適である。
この構成によれば、より確実に、上流側からの水がストレーナ本体を通らずに下流側に流れるのを抑制できる。
【発明の効果】
【００１１】
本発明によれば、ストレーナ本体を取り外す際に、作業が簡単となるとともに、異物が下流側に通過するのを抑制できる、ストレーナ装置を提供できる。
【図面の簡単な説明】
【００１２】
【図１】本発明の一実施形態に係るストレーナ装置を備えた給水装置の一例を示す、斜視図である。
【図２】図１の給水装置を、図１のＡ−Ａ線に沿う断面により示す、水平断面図である。
【図３】図１のストレーナ装置を、ストレーナ本体が管路内に収容された状態で示す、上面図である。
【図４】図３のストレーナ装置を、図３のＢ−Ｂ線に沿う断面により示す、縦断面図である。
【図５】図３のストレーナ装置を、一部分解した状態で示す、分解縦断面図である。
【図６】図３のストレーナ装置を、一部分解した状態で示す、分解斜視図である。
【図７】図３のストレーナ装置を、一部分解した状態で、図３のＢ−Ｂ線に沿う断面とともに示す、一部断面分解斜視図である。
【発明を実施するための形態】
【００１３】
以下、本発明の実施形態について、図面を参照して詳細に例示説明する。
【００１４】
本発明の一実施形態に係るストレーナ装置は、給水装置の配管等の管路に設けられて、管路内の流体（水等）に含まれる異物を捕捉するものである。図１及び図２は、本発明の一実施形態に係るストレーナ装置１０を備えた給水装置１の一例を示している。本例の給水装置１は、高層集合住宅等の水の需要先に充分な給水をするために用いられる、直結給水式給水装置であり、吸込口１１ａが上水道配水管への接続口と配管を介して接続され、吐出口１１ｂが需要先等への接続口と配管を介して接続される。また、本例の給水装置１は、吸込口１１aから吐出口１１ｂまでの配管１２が、縦長で薄いキャビネット２に収容された、キャビネット型給水装置として構成されている。なお、図１では、便宜上、キャビネット２の枠部材のみを示しており、キャビネット２の外板及び扉の図示を省略している。
【００１５】
図１及び図２の給水装置１において、配管１２の流路内には、圧力発信器１３、２３、三方弁１４、１６、逆流防止器１５、１８、本実施形態のストレーナ装置１０、１０’、１台又は複数台（本例では３台）のポンプ２０ａ〜２０ｃ、各ポンプ２０ａ〜２０ｃに個別に設けられたバルブユニット２１ａ〜２１ｃ、圧力タンク２２などが、設けられている。本例において、本実施形態のストレーナ装置１０は、一対の三方弁１４、１６の間の流路内に配置されており、具体的には、上流から下流に向かう順に、三方弁１４、ストレーナ装置１０、逆流防止器１５、三方弁１６が設けられた流路内に配置されている。ポンプ２０ａ〜２０ｃ及び圧力タンク２２は、三方弁１６よりも下流側に配置されている。一方、本実施形態の他方のストレーナ装置１０’は、一方のストレーナ装置１０とは並列に、一対の三方弁１４、１６の間の流路内に、接続されており、具体的には、上流から下流に向かう順に、三方弁１４、ストレーナ装置１０’、逆流防止器１８、三方弁１６が設けられた流路内に配置されている。
なお、ストレーナ装置１０、１０’は、上面の形状が若干異なることを除いて、同様の構造からなる。以下の説明では、便宜のため、ストレーナ装置１０のみについて説明する。
給水装置１の上部には、ポンプ２０ａ〜２０ｃの制御等を行う制御盤２４が設けられている。給水装置１の下部には、メンテナンス時等に配管１２から落下するおそれのある水を受けるドレンパン２５が設けられている。
図の例において、ストレーナ装置１０は、配管１２内の異物を捕捉して、ストレーナ装置１０の下流側に配置された逆流防止器１５やポンプ２０ａ〜２０ｃ等に異物が流れるのを抑制する役割を持つ。
なお、本実施形態のストレーナ装置１０は、本例の給水装置１とは異なる構成の給水装置１の配管にも、好適に配設可能である。例えば、給水装置１において、配管１２に接続される構成要素及びその配置は、図１及び図２の例のものに限られず、任意のものでよい。例えば、ポンプ２０ａ〜２０ｃ及び圧力タンク２２を、一対の三方弁１４、１６間の流路よりも上流側に配置してもよい。その場合、例えば、図１及び図２の例において、吸込口１１ａ及び吐出口１１ｂをそれぞれ吐出口及び吸込口とし、さらに、ストレーナ装置１０と逆流防止器１５との配置を逆にし（すなわちストレーナ装置１０を逆流防止器１５の上流側に配置し）、また、ストレーナ装置１０’と逆流防止器１８との配置を逆にする（すなわちストレーナ装置１０’を逆流防止器１８の上流側に配置する）とよい。
また、本実施形態のストレーナ装置１０は、本例のような直結給水式のキャビネット型の給水装置１に好適に配設可能なだけでなく、直結給水式の据置型の給水装置にも好適に配設可能である。
【００１６】
図３〜図７は、本実施形態のストレーナ装置１０を示している。ストレーナ装置１０は、ストレーナ本体１１０と、ストレーナケーシング１２０と、ストレーナキャップ１３０とを、有している。ストレーナ本体１１０は、一端に開口１１５を有し他端に底部１１６を有するカップ状に構成されている。ストレーナケーシング１２０は、ストレーナ本体１１０を収容可能に構成されており、直線状の管路を内部に有するとともに、ストレーナ本体１１０を管路と外部との間で出し入れするための出入窓１２１を有する。ストレーナキャップ１３０は、ストレーナケーシング１２０の出入窓１２１を塞ぐことが可能なように構成されている。
本例において、ストレーナケーシング１２０の流入口１２５ａから流出口１２５ｂに至るまでの管路の管路軸線（管路の中心軸線）Ｏ１は、水平かつ直線状である。そして、ストレーナケーシング１２０は、管路を区画する周壁の周方向一部分（本例では周壁の上端部）に、出入窓１２１を有している。
図３は、ストレーナ装置１０の上面図であり、ストレーナキャップ１３０より下側の構成要素を破線で示している。図４は、ストレーナ装置１０を、図３のＢ−Ｂ線に沿う縦断面により示している。図５及び図６は、互いに一体にされたストレーナキャップ１３０及びストレーナ本体１１０を、ストレーナケーシング１２０から分解した様子を示している。図７は、図５及び図６の状態からさらに、ストレーナキャップ１３０及びストレーナ本体１１０どうしを分解した様子を示している。
【００１７】
なお、本例では、ストレーナケーシング１２０によって区画される管路が水平に延在しており、出入窓１２１がストレーナケーシング１２０の上端部に配置されているため、ストレーナ本体１１０の出し入れの際に、管路内の水が出入窓１２１から外部に漏れるのを抑制できる。この構成は、ストレーナ装置１０を、図１の給水装置１のようなキャビネット型の給水装置に搭載する場合に、特に有利である。
【００１８】
図３及び図６に示すように、本例において、出入窓１２１は、平面視で円形である。一方、ストレーナキャップ１３０は、平板状に構成されており、平面視において出入窓１２１よりも大きな四角形状をなしている。ストレーナキャップ１３０の四隅のコーナ部と、ストレーナケーシング１２０の上端部における、出入窓１２１の周囲の四隅のコーナ部には、ボルト等の締結具１７０がストレーナキャップ１３０の上側から挿入される締結孔１３４、１２７が、それぞれ設けられている。ストレーナキャップ１３０が出入窓１２１を上側から塞いだ状態で、締結具１７０をストレーナキャップ１３０の締結孔１３４とストレーナケーシング１２０の締結孔１２７とに上側から挿入し、締めることで、ストレーナキャップ１３０をストレーナケーシング１２０の上端部に締結することが可能にされている。ストレーナキャップ１３０が出入窓１２１を塞いだ状態において、ストレーナキャップ１３０は、水平になる。
【００１９】
図４〜図７に示すように、本例において、ストレーナケーシング１２０の上端部には、出入窓１２１の周囲を環状に延在し、上側が開放された、環状溝１２８が設けられている。環状溝１２８には、Ｏリング等の環状の封止部材１４０が設けられる。図７では、封止部材１４０の図示を省略している。ストレーナキャップ１３０が出入窓１２１を塞いだ状態では、封止部材１４０がストレーナケーシング１２０の上面とストレーナキャップ１３０の下面とによって挟まれて圧縮状態となり、管路内の水が外部に漏れるのが防止される。
【００２０】
ストレーナ本体１１０は、例えば金属製であり、一端に開口１１５を有し他端に底部１１６を有するカップ状に構成された網状部材からなる網部１１１と、開口１１５の開口縁から外周側へ延びる環状のフランジ部１１２と、フランジ部１１２の周方向一部分（本例では上端部）から、フランジ部１１２に対して底部１１６とは反対側へ延びる、片部１１３とを有している。
【００２１】
図４に示すように、本例において、ストレーナ本体１１０がストレーナケーシング１２０内に収容された状態においては、ストレーナ本体１１０の中心軸線Ｏ２は、ストレーナケーシング１２０の管路軸線Ｏ１と平行であり、また、ストレーナケーシング１２０の管路軸線Ｏ１上にある（すなわち両者は一致する）。ストレーナ本体１１０の中心軸線Ｏ２は、網部１１１のなすカップ形状の中心軸線であるものとする。また、この状態において、ストレーナ本体１１０の開口１１５は、上流側を向く。これにより、ストレーナ本体１１０は、上流側から流れてくる水に含まれる異物を水の流れる方向と同じ方向で網部１１１の内部に捕捉し、下流側に異物が流れるのを抑制する。
本例において、フランジ部１１２は、開口１１５の開口縁から、外周側へ、ストレーナ本体１１０の中心軸線Ｏ２に垂直な方向に、延在している。また、片部１１３は、フランジ部１１２の上端部から、フランジ部１１２に対して底部１１６とは反対側（ひいては上流側）に向かって、ストレーナ本体１１０の中心軸線Ｏ２に平行に、延在している。
【００２２】
ストレーナ本体１１０の片部１１３とストレーナキャップ１３０には、ねじ又はボルト等の締結具１５０が片部１１３の下側から挿入される締結孔１１４、１３２が、それぞれ設けられている。片部１１３の締結孔１１４は、片部１１３を上下方向に貫通している。ストレーナキャップ１３０の締結孔１３２は、ストレーナキャップ１３０の下面に開口するが、ストレーナキャップ１３０の上面には開口せず、該上面に至る手前で終端している。なお、図の例において、ストレーナキャップ１３０の上面は、締結孔１３２及び後述するピン保持孔１３１に対応する部分で、他の部分よりも盛り上がっている。
そして、片部１１３の上面をストレーナキャップ１３０の下面に当てた状態で、締結具１５０を片部１１３の締結孔１１４とストレーナキャップ１３０の締結孔１３２とに下側から挿入して、締めることで、片部１１３をストレーナキャップ１３０に締結することが可能にされている。このような構成により、ストレーナ本体１１０の周方向一部分（本例では上端部）をなす片部１１３とストレーナキャップ１３０とが、互いに固定可能にされている。
図３に示すように、本例では、出入窓１２１側（上側）から観たときに、管路軸線Ｏ１を間に挟んだ両側の２箇所で、締結具１５０によって片部１１３がストレーナキャップ１３０に締結されるように構成されている。
【００２３】
図３に示すように、ストレーナ本体１１０が管路内に収容された状態において、出入窓１２１側（上側）から観たときに、出入窓１２１は、ストレーナ本体１１０よりも大きな寸法に構成されている。そして、図４〜図６に示すように、ストレーナ本体１１０は、その片部１１３がストレーナキャップ１３０と固定された（一体にされた）状態で、ストレーナ本体１１０の中心軸線Ｏ２を管路の管路軸線Ｏ１に平行にした姿勢で、管路内に収容可能であるとともに、同じ姿勢で、ストレーナ本体１１０を上下に移動させることにより、出入窓１２１を介して出し入れ可能である。このように、ストレーナ本体１１０は、管路内に収容されて給水装置１が稼動している時と、出入窓１２１を介して出し入れされる時とで、姿勢を変える必要がないようにされている。
【００２４】
図４及び図７に示すように、ストレーナケーシング１２０は、ストレーナ本体１１０が管路内に収容され、かつ、ストレーナキャップ１３０が出入窓１２１を塞いだ状態において、ストレーナ本体１１０のフランジ部１１２の上流側に隣接して、フランジ部１１２と全周にわたって対向するように構成された、環状の受部１２２を有している。受部１２２の内周面は、管路の一部を区画している。これにより、上流側から流れてきた水のほとんどがストレーナ本体１１０の内部に流れるので、上流側からの水がストレーナ本体１１０を通らずに下流側に流れるのを抑制できる。
なお、受部１２２とフランジ部１１２との間隙ｇは、例えば０．５ｍｍ以下であると好適である。
【００２５】
図４及び図７に示すように、ストレーナケーシング１２０は、受部１２２における出入窓１２１側の部分（本例では、受部１２２における上端部）から上流側に向かって延在し、出入窓１２１に面する、台部１２３を有する。本例において、台部１２３の上面は、略水平な平坦面をなしており、台部１２３の下面は、管路の一部を区画している。
【００２６】
本例において、ストレーナキャップ１３０には、ストレーナキャップ１３０における出入窓１２１側の面（本例では、ストレーナキャップ１３０の下面）から突出する、ピン１６０が設けられる。
より具体的には、図４、図５及び図７に示すように、ストレーナキャップ１３０は、ピン１６０の上端部が下側から挿入されてそこで保持される、ピン保持孔１３１を有している。ピン保持孔１３１は、ストレーナキャップ１３０の下面に開口し、ストレーナキャップ１３０の上面には開口せず、該上面に至る手前で終端している。一方、台部１２３は、上記ピン１６０の下端部が上側から挿入される、ピン挿入孔１２４を有している。ピン挿入孔１２４は、台部１２３を上下方向に貫通している。
図３に示すように、本例では、出入窓１２１側（上側）から観たときに、管路軸線Ｏ１を間に挟んだ両側の２箇所で、一対のピン１６０がピン挿入孔１２４に挿入されるように構成されている。
本例では、ピン１６０は、拡径・縮径が可能なスプリングピンからなる。ストレーナキャップ１３０のピン保持孔１３１は、ピン１６０の自然状態での外径よりも若干小さな径を有している。これにより、ピン１６０の上端部がいったんピン保持孔１３１に挿入されると、ピン１６０がピン保持孔１３１内で拡径しようとして、そこで保持される。これにより、ストレーナキャップ１３０に、ストレーナキャップ１３０の出入窓１２１側の面（下面）から突出するピン１６０を、設けることができる。一方、台部１２３のピン挿入孔１２４は、ピン保持孔１３１より若干大きな径を有している。これにより、ピン１６０の上端部がピン保持孔１３１に保持された状態で、ピン１６０の下端部（先端部）がいったんピン挿入孔１２４に挿入された後に、ストレーナキャップ１３０が上側に引き上げられると、図５に示すように、ピン１６０の上端部がピン保持孔１３１に保持されたま、ピン１６０の下端部（先端部）がピン挿入孔１２４から引き抜かれるようにされている。
なお、ストレーナキャップ１３０とピン１６０とは、接着により互いに固定されていてもよいし、あるいは、一体成形により一体に構成されていてもよい。また、ピン１６０は、スプリングピン以外のピンから構成されてもよい。
【００２７】
図４に示すように、ストレーナ本体１１０が管路内に収容され、かつ、ストレーナキャップ１３０が出入窓１２１を塞いだ状態では、ピン１６０が、ストレーナ本体１１０の片部１１３の上流側の端面１１３ａと接触しており、また、ピン１６０の上端部及び下端部がそれぞれピン保持孔１３１及びピン挿入孔１２４に挿入されている。ピン１６０は、この状態で、ストレーナ本体１１０をストレーナケーシング１２０に対して管路軸線Ｏ１に沿う方向に位置決めし、受部１２２とフランジ部１１２との間隙ｇ（図４）が所定値以下（例えば０．５ｍｍ以下）となるようにする役割を持つ。
【００２８】
図３及び図４に示すように、ストレーナキャップ１３０の上面には、管路内の水の流れの向きを表す矢印表示１３３が、窪みにより形成されている。矢印表示１３３は、水平面への投影面において、締結具１５０用の締結孔１３２やピン１６０用のピン保持孔１３１とは反対側を指している。これにより、作業者は、ストレーナキャップ１３０をストレーナケーシング１２０に取り付ける際に、矢印表示１３３の向きが管路内の水の流れの向きに合うように、ストレーナキャップ１３０を指向させることで、ストレーナキャップ１３０の下側でストレーナキャップ１３０と一体にされたストレーナ本体１１０の開口１１５を、上流側に向けることができる。
【００２９】
なお、図４及び図７に示すように、本例では、ストレーナケーシング１２０が、管路壁面のうち出入窓１２１に対向する部分（本例では、管路壁面のうち出入窓１２１の下側の部分）から、管路軸線Ｏ１に向かって突出した、突起部１２６を有している。突起部１２６は、ストレーナ本体１１０が管路内に収容された状態において、ストレーナ本体１１０のフランジ部１１２のうち、出入窓１２１とは反対側の部分（本例では、フランジ部１１２の下端部）に対して、下流側に隣接するように、配置されている。
仮に突起部１２６が無いと、ストレーナ本体１１０がフランジ部１１２の上部のみで固定されることとなることから、例えば多量の異物がストレーナ本体１１０の目を詰まらせた状態で水圧が掛かると、フランジ部１１２の下部が下流側に押されて変形するおそれがある。突起部１２６があることにより、フランジ部１１２の下部が下流側へ変形するのを効果的に抑制することができる。
【００３０】
ここで、上述のようなストレーナ装置１０において、ストレーナ本体１１０を管路内に収容する前段階として行う、ストレーナ本体１１０をストレーナキャップ１３０に組み付ける作業の一例を説明する。
まず、一対のピン１６０の上端部をそれぞれストレーナキャップ１３０のピン保持孔１３１に挿入し、そこで保持させる。
つぎに、ストレーナ本体１１０の片部１１３の上面をストレーナキャップ１３０の下面に当てるとともに、片部１１３の上流側の端面１１３ａをピン１６０に接触させる。これによって、ストレーナ本体１１０が、ストレーナキャップ１３０に対して、ストレーナ本体１１０の中心軸線Ｏ２に沿う方向で位置決めされる。
つぎに、その状態で、一対の締結具１５０によって片部１１３とストレーナキャップ１３０とを下側から締結する。この際、予め、締結具１５０にねじゆるみ止め接着剤を塗布しておくと、好適である。
以上により、ストレーナ本体１１０をストレーナキャップ１３０に組み付ける作業が完了し、ストレーナ本体１１０とストレーナキャップ１３０とが一体となる。
【００３１】
このように、本例では、締結具１５０によって、ストレーナ本体１１０の片部１１３をストレーナキャップ１３０に下側から締結することにより、ストレーナ本体１１０の周方向一部分（本例では上端部）とストレーナキャップ１３０とを互いに固定可能である。これにより、ストレーナ本体１１０をストレーナキャップ１３０に固定する際において、固定作業が簡単になる。また、これにより、ピン１６０によってストレーナ本体１１０をストレーナキャップ１３０に対して相対位置を微調整した後に、ストレーナ本体１１０をストレーナキャップ１３０に固定することが可能となる。
【００３２】
つぎに、ストレーナ本体１１０とストレーナキャップ１３０とが一体となった状態で、ストレーナ本体１１０を管路内に収容する作業の一例を説明する。
まず、ストレーナ本体１１０と一体にされたストレーナキャップ１３０を手で持って、ストレーナ本体１１０を、中心軸線Ｏ２が管路軸線Ｏ１に平行であるとともに開口１１５が上流側を向くように、指向させる。
つぎに、その姿勢を保ったまま、ストレーナキャップ１３０を出入窓１２１に向けて下側に移動させ、ストレーナ本体１１０をストレーナケーシング１２０の管路内に収容させるとともに、ストレーナキャップ１３０をストレーナケーシング１２０の上端部に当てて、出入窓１２１を塞ぐ。この際、各ピン１６０の下端部（先端部）を、それぞれ台部１２３のピン挿入孔１２４に挿入する。このとき、ストレーナ本体１１０の姿勢は、変わらず、中心軸線Ｏ２が管路軸線Ｏ１に平行であり開口１１５が上流側を向いた姿勢に維持される。また、受部１２２が、ストレーナ本体１１０のフランジ部１１２の上流側に隣接して、ストレーナ本体１１０のフランジ部１１２と全周にわたって対向する。さらに、ピン１６０の位置決め作用によって、受部１２２とフランジ部１１２との間隙ｇが所定値以下（例えば０．５ｍｍ以下）となるように、ストレーナ本体１１０がストレーナケーシング１２０に対して位置決めされる。
つぎに、ストレーナケーシング１２０とストレーナキャップ１３０とを、締結具１７０によって上側から締結する。
以上により、ストレーナ本体１１０を管路内に収容する作業が完了する。
その後、給水装置１の稼動を開始する。
【００３３】
なお、ストレーナ装置１０は、ピン１６０を備えなくてもよい。しかし、仮にピン１６０を用いずに、締結具１７０のみによって、ストレーナ本体１１０をストレーナケーシング１２０に対して位置決めする場合、例えば鋳物から構成されるストレーナケーシング１２０及びストレーナキャップ１３０の形状誤差によって、受部１２２とフランジ部１１２との間隙ｇが、２〜３ｍｍ程度にまで大きくなるおそれがある。上述のようにピン１６０を用いてストレーナ本体１１０をストレーナケーシング１２０に対して位置決めすることで、ストレーナケーシング１２０及びストレーナキャップ１３０の形状誤差が生じても、確実に、受部１２２とフランジ部１１２との間隙ｇを所定値以下（例えば０．５ｍｍ以下）にすることができる。これにより、より確実に、上流側からの水がストレーナ本体１１０を通らずに下流側に流れるのを抑制できる。
また、ピン１６０は、本例とは異なる位置に設けられて、受部１２２とフランジ部１１２との間隙ｇが所定値以下（例えば０．５ｍｍ以下）となるように、ストレーナ本体１１０がストレーナケーシング１２０に対して位置決めするように構成されてもよい。あるいは、ピン１６０以外の構造によっても、受部１２２とフランジ部１１２との間隙ｇが所定値以下（例えば０．５ｍｍ以下）となるように、ストレーナ本体１１０がストレーナケーシング１２０に対して位置決めされるようにしてもよい。
【００３４】
つぎに、給水装置１のメンテナンス時においてストレーナ本体１１０の内部に捕捉された異物を清掃する際等に、ストレーナ本体１１０をストレーナケーシング１２０から取り外す作業の一例を説明する。
まず、ストレーナ装置１０の上流側及び下流側にある三方弁１４、１６を操作して、三方弁１４、１６の間の流路を止水する。
つぎに、ストレーナ装置１０の下流側かつ三方弁１６の上流側にある逆流防止器１５の空気抜き栓を緩めて、三方弁１４、１６の間の流路内の圧を抜く。
つぎに、ストレーナキャップ１３０とストレーナケーシング１２０とを固定していた締結具１７０を取り外す。
つぎに、図５及び図６に示すように、ストレーナキャップ１３０を手で持って、上側に引き上げて、ストレーナケーシング１２０から取り外す。このとき、出入窓１２１が開放されるとともに、ストレーナキャップ１３０の下側に固定されたストレーナ本体１１０が、中心軸線Ｏ２が管路軸線Ｏ１に平行であるとともに開口１１５が上流側を向いた姿勢を保ったまま、一緒に引き上げられ、出入窓１２１を介して外部に取り出される。また、ピン１６０は、その上端部がピン保持孔１３１に保持されたま、その下端部（先端部）がピン挿入孔１２４から引き抜かれる。
以上により、ストレーナ本体１１０をストレーナケーシング１２０から取り外す作業が完了する。
その後、ストレーナ本体１１０を、内部に溜まった異物を取り除く等して、清掃する。その際、例えば、ストレーナ本体１１０を、ストレーナキャップ１３０に一体に維持したまま清掃し、清掃完了後にストレーナ本体１１０及びストレーナキャップ１３０を上述の要領でストレーナケーシング１２０に戻す。このように、清掃作業を簡単に行うことができる。
【００３５】
上述のように、本実施形態のストレーナ装置１０では、ストレーナ本体１１０の周方向一部分（本例では上端部）をなす片部１１３とストレーナキャップ１３０とが互いに固定された状態で、ストレーナ本体１１０の中心軸線Ｏ２を管路の管路軸線Ｏ１に平行にした姿勢で、ストレーナ本体１１０が、管路内に収容可能、かつ、出入窓１２１を介して出し入れ可能である。このように、ストレーナ本体１１０は、管路内に収容されて給水装置１が稼動している時と、出入窓１２１を介して出し入れされる時とで、姿勢を変える必要がないようにされている。これにより、作業者は、ストレーナ本体１１０をストレーナケーシング１２０から取り外す際には、ストレーナ本体１１０と一体にされたストレーナキャップ１３０を手で持って、これを出入窓１２１に対して遠ざかる向き（本例では上向き）に移動させるだけで、ストレーナ本体１１０の姿勢を収容時から変えることなく、出入窓１２１を介して取り外すことができる。
よって、ストレーナ本体１１０を取り外す際に、ストレーナキャップ１３０の取り外しとストレーナ本体１１０の取り外しとを２段階で行う必要が無く、また、ストレーナ本体１１０の姿勢を変える必要が無いので、ストレーナ本体１１０の取り外し作業が簡単となり、メンテナンス性を向上できる。
また、ストレーナ本体１１０を取り外す際に、ストレーナ本体１１０の姿勢を変える必要が無いので、例えば特許文献１のように、ストレーナ本体の姿勢を変える間にその内部に捕捉された異物がストレーナ本体から漏れ出るのを防止でき、ひいては、管路内に異物が落下するのを抑制できる。よって、異物が下流側に通過するのを効果的に抑制できる。また、ストレーナ本体１１０を取り外す際に、ストレーナ本体１１０の姿勢を変えずにこれを上方へ引き上げればよいので、仮にその際に少量の異物が管路内に落下したとしても、その異物はストレーナ本体１１０の上流側に落下することとなる。このため、運転再開すれば、上流側に落下した異物は再びストレーナ本体１１０によって捕捉されるので、異物の下流側への通過は阻止される。
また、ストレーナ本体１１０は、特許文献１のようにボール弁体に内蔵されるものではないため、ボール弁体の貫通路によって流路が狭められることが無い分、圧力損失を低減できる。特に、図４に示すように、本例では、ストレーナ本体１１０を収容する部分の流路が、その上流側及び下流側の流路に比べて拡大（拡径）されていることから、圧力損失を効果的に低減できる。
また、ストレーナ本体１１０は、直線状の管路内に、管路軸線に平行な姿勢で収容されて、上流側から流れてくる水に含まれる異物を水の流れる方向と同じ方向で捕捉するので、例えばストレーナ本体１１０が屈曲又は湾曲した管路内で管路の屈曲又は湾曲箇所に隣接して収容される場合、及び／又は、ストレーナ本体１１０が管路軸線に対して交差する向きに収容される場合に比べて、圧力損失を低減できる。
【産業上の利用可能性】
【００３６】
本発明のストレーナ装置は、給水装置の配管に好適に配設できる。
【符号の説明】
【００３７】
１  給水装置
２  キャビネット
１０、１０’  ストレーナ装置
１１ａ  吸込口
１１ｂ  吐出口
１２  配管
１３、２３  圧力発信器
１４、１６  三方弁
１５、１８  逆流防止器
２０ａ〜２０ｃ  ポンプ
２１ａ〜２１ｃ  バルブユニット
２２  圧力タンク
２４  制御盤
２５  ドレンパン
１１０  ストレーナ本体
１１１  網部
１１２  フランジ部
１１３  片部
１１３ａ  片部の上流側の端面
１１４  締結孔
１１５  開口
１１６  底部
１２０  ストレーナケーシング
１２１  出入窓
１２２  受部
１２３  台部
１２４  ピン挿入孔
１２５ａ  流入口
１２５ｂ  流出口
１２６  突起部
１２７  締結孔
１２８  環状溝
１３０  ストレーナキャップ
１３１  ピン保持孔
１３２  締結孔
１３３  矢印表示
１３４  締結孔
１４０  封止部材
１５０  締結具
１６０  ピン
１７０  締結具
ｇ  間隙
Ｏ１  管路軸線
Ｏ２  ストレーナ本体の中心軸線
【図１】
2018079403.tif 000003
【図２】
2018079403.tif 000004
【図３】
2018079403.tif 000005
【図４】
2018079403.tif 000006
【図５】
2018079403.tif 000007
【図６】
2018079403.tif 000008
【図７】
2018079403.tif 000009